(57)【要約】      （修正有）【課題】引き出し箱の内部の仕切り板の位置の変更を容易にし、仕切り板を移動した場合にネジ穴や接着剤の跡が残らず、厚みの薄い仕切り板が使用でき、又、仕切り板作成に費用、コストを低減し、物品の種類、数量に応じて仕切り板の位置を極めて容易に移動できる便利な引き出し箱を提供する。【解決手段】上面を開口し箱状に形成した引き出し箱本体１と、引き出し箱本体内の底面上を摺動自在に載置した仕切り板２ａ，２ｂ及び敷板３ａ，３ｂとの組み合わせとからなり、仕切り板を敷板で挟持した構成としたことを特徴とする。【選択図】図１
0003194301.tif 000002
【実用新案登録請求の範囲】
【請求項１】
上面を開口した箱状に形成した引き出し箱本体と、前記引き出し箱本体内の底面上を摺動自在に載置した仕切り板と、前記引き出し箱本体内の底面上を摺動自在に載置した敷板との組み合わせからなり、前記仕切り板を前記敷板の間で挟持した構成としたことを特徴とする引き出し箱。
【請求項２】
前記仕切り板の厚み（ｄ１）と、前記敷板の左右方向の長さ（ｗ１）との総和が引き出し箱の左右方向の内側寸法（Ｗ）に等しいように、前記仕切り板の厚み（ｄ１）と前記敷板の左右方向の長さ（ｗ１）を決定したことを特徴とする請求項１記載の引き出し箱。
【請求項３】
前記仕切り板の厚み（ｄ２）と、前記敷板の前後方向の長さ（ｚ１，ｚ２）との総和が引き出し箱の前後方向の内側寸法（Ｌ）に等しいように、前記仕切り板の厚み（ｄ２）と前記敷板の前後方向の長さ（ｚ１，ｚ２）を決定したことを特徴とする請求項１記載の引き出し箱。
【請求項４】
前記敷板の上表面内側部が略凹状に形成したことを特徴とする請求項１乃至３のいずれか１項に記載の引き出し箱。
【考案の詳細な説明】
【技術分野】
【０００１】
本考案は家具等の引き出し箱の内部の仕切り構造に関するものである。
【背景技術】
【０００２】
従来の引き出し箱の内部の収納部の仕切り構造の一つは、引き出し箱の内部に納まるサイズのトレイを単に引き出し箱内部に載置しただけのものがある。又、従来の別のものとしては、板状部材である仕切り板をネジ、接着剤等によって引き出し箱の底板や壁板に固定するものがある。
【０００３】
又、仕切り板を釘等で底板に固定したものではないが、特許文献１に記載されたもののように、仕切り板自体を底板上で摺動可能にしたものがある。
【先行技術文献】
【特許文献】
【０００４】
【特許文献１】実用新案公開平５−５８３５３公報
【考案の概要】
【考案が解決しようとする課題】
【０００５】
しかしながら、仕切り板を引き出し箱に固定してしまうと仕切り板の位置の変更が大変困難となる。又、仕切り板を移動した場合には、ネジ穴や接着剤の跡が残ってしまう。
又、仕切り板は、ネジや接着剤で引き出し箱に固定するためには、仕切り板にある程度の大きさの厚みが必要であり、薄い仕切り板は使用できない。
【０００６】
又、仕切り板自体に自立構造を持たせたものは、製作に費用、コストがかかる。
【課題を解決するための手段】
【０００７】
前記従来の課題を解決するために、本考案の引き出し箱の仕切り構造は、上面を開口した箱状に形成した引き出し箱本体と、前記引き出し箱本体内の底面上を摺動自在に載置した仕切り板と、前記引き出し箱本体内の底面上を摺動自在に載置した敷板との組み合わせからなり、前記仕切り板を前記敷板で挟持した構成としたことを特徴とする引き出し箱としたものである。
【０００８】
これによって、仕切り板を敷板と敷板との間に挟むだけなので仕切り板は極めて容易に引き出し箱の中で配置を変えることができ、収納する物品の種類、数量に応じて、極めて簡単に収納スペースの配置を変えることができる。
【考案の効果】
【０００９】
本考案の仕切り構造は、収納する物品の種類、数量に応じて、極めて簡単に仕切り板の配置を変えることができる。
又、仕切り板を敷板と敷板との間に挟むだけなので仕切り板は厚みが小さなものでも良く、このため収納スペースが大きくなる。なによりも、仕切り板は極めて容易に引き出し箱の中で配置を変えることができる。
【００１０】
更には、収納する物品の種類、数量に応じて、極めて簡単に仕切り板の配置を変えることができる。
【図面の簡単な説明】
【００１１】
【図１】本考案の実施の形態における仕切り板及び敷板を引き出し箱内に設置した状態を示す斜視図
【図２】本考案の実施の形態における引き出し箱の平面図
【図３】図２のＡ−Ａ線に沿う部分断面図
【図４】敷板の断面形状の別の実施例を示す部分断面図
【図５】本考案の実施の形態における仕切り板及び敷板の斜視図
【図６】本考案の実施の形態における仕切り板を壁板側に移動し収納した状態を示す斜視図
【考案を実施するための形態】
【００１２】
第１の考案は上面を開口した箱状に形成した引き出し箱本体と、前記引き出し箱本体内の底面上を摺動自在に載置した仕切り板と、前記引き出し箱本体内の底面上を摺動自在に載置した敷板との組み合わせからなり、前記仕切り板を前記敷板の間に挟持した構成としたことを特徴とする引き出し箱とすることにより、仕切り板を敷板と敷板との間に挟むだけなので仕切り板は極めて容易に引き出し箱の中で配置を変えることができる。したがって収納する物品の種類、数量に応じて、極めて簡単に仕切り板の配置を変えることができる。
【００１３】
第２の考案は前記仕切り板の左右方向の厚み（ｄ１）と、前記敷板の左右方向の長さ（ｗ１）との総和が引き出し箱の左右方向の内側寸法（Ｗ）に等しいように、前記仕切り板の厚み（ｄ１）と前記敷板の左右方向の長さ（ｗ１）を決定することにより、敷板や仕切り板の水平方向の長さが引き出し箱の水平方向の内径とほぼ同じのため敷板の間に挟まれた仕切り板はぐらつかずにしっかりと安定する。前記敷板の左右方向の長さ（ｗ１）及び前記仕切り板の厚み（ｄ１）は、それぞれ収納物品の大きさを考慮して自由に設計し決定することができる。又、前記仕切り版及び前記敷板の数も自由に決めることができる。
【００１４】
又、仕切り板を引き抜き、その空いたスペースに敷板をずらせば、別の場所に仕切り板を差し込むスペースができるのでそのスペースに引き抜いた仕切り板を差し込むことができ、敷板と仕切り板との水平方向の長さの総和を引き出し箱の水平方向の内径と同じとするので、敷板や仕切り板が引き出し箱内に敷き詰められるので仕切り板がぐらつかずにしっかりと安定させることができる。
【００１５】
第３の考案は前記仕切り板の前後方向の厚み（ｄ２）と、前記敷板の前後方向の長さ（ｚ１，ｚ２）との総和が引き出し箱の前後方向の内側寸法（Ｌ）に等しいように、前記仕切り板の厚み（ｄ２）と前記敷板の前後方向の長さ（ｚ１，ｚ２）を決定することにより、仕切り板を敷板と敷板との間に挟むだけなので仕切り板は極めて容易に引き出し箱の中で配置を変えることができ、敷板や仕切り板が引き出し箱内に敷き詰められるので仕切り板を安定させることができる。前記仕切り板の前後左右方向の厚み(d2)及び前記敷板の前後方向の長さ（ｚ１，ｚ２）は、それぞれ収納物品の大きさを考慮して自由に設計し決定することができる。又、前記仕切り版及び前記敷板の数も自由に決めることができる。
【００１６】
第４の考案は前記敷板の上表面内側部を略凹状に形成したことを特徴とする前記のいずれかの引き出し箱とすることにより、敷板の上表面部を断面略凹状に形成しているので、凹部になった分の収容スペースが増えることとなり収容できる物品の種類、数量を極めて簡単に増やすことができる。
【００１７】
以下、本考案の実施の形態について、図面を参照しながら説明する。なお、この実施の形態によって本考案が限定されるものではない。
（実施の形態１）
図１乃至図３及び図５は、本考案の第１の実施の形態における仕切り構造を示すものである。
【００１８】
図１において、仕切り板２ａは、敷板３ａと敷板３ｂとの間で、図３の断面図に示すように仕切り板の下部を挟持され、仕切り板と敷板とは有機的に関連して本考案の仕切り構造を構成している。
仕切り板及び敷板は図５に示すように、直方体の板状の部材であり、材質は通常、木材、プラスチック、金属等が用いられる。
【００１９】
以上のように構成された仕切り構造について、以下その動作、作用を説明する。
まず、仕切り板は敷板の間に挟まれているだけなのでネジ、接着剤等で固定されていないため、仕切り板は上方に手で簡単引き抜くことができる。
【００２０】
以上のように、本実施の形態においては仕切り板を敷板で挟んで立てるという構成とすることにより、仕切り板を敷板と敷板との間に挟むだけなので仕切り板は極めて容易に引き出し箱の中で配置を変えることができ、収納する物品の種類、数量に応じて、極めて簡単に仕切り板の配置を変えることができるという優れた効果を奏することができる。
【００２１】
また、本実施の形態では図６に示すように、仕切り板を引き抜くとその空いた側に敷板を移動することにより壁板４側に仕切り板２ａの幅分のスペースができ、そこに引き抜いた仕切り板２ａを壁板４に接して立てることにより、仕切り板２ａを引き出し箱の端に収納保管できるだけでなく、仕切り板２ａの紛失のおれそがないという優れた効果を奏する。
【００２２】
図２は、本考案の第１の実施の形態における平面図を示すものである。
図２において、仕切り板２ａの左右方向の厚み（ｄ１）と、前記敷板の左右方向の長さ（ｗ１）との総和が引き出し箱の左右方向の内側寸法（Ｗ）に等しいように、前記仕切り板の厚み（ｄ１）と前記敷板の左右方向の長さ（ｗ１）が決められている。すなわち、３枚の仕切り板と６枚の敷板は仕切り箱の底面上に敷き詰められて載置されたものであり、壁板と関連して仕切り板がぐらぐらせずしっかりと立てられている。
【００２３】
以上のように、本実施の形態においては、仕切り板を敷板と敷板との間に挟むだけなので仕切り板は極めて容易に引き出し箱の中で配置を変えることができ、敷板と仕切り板との水平方向の長さの総和を引き出し箱の水平方向の内径と同じとするので、敷板や仕切り板が引き出し箱内に敷き詰められるので仕切り板を安定させることができる。
【００２４】
同様に、引き出し箱の前後方向においても、仕切り板２ｂと敷板３ａ及び敷板３ｂとの前後方向の長さを決定することにより、仕切り板２ｂをぐらぐらせずしっかりと立てられている。
図４は、本考案の第２の実施の形態における敷板の断面図を示すものである。
【００２５】
図４において、敷板３ａ及び敷板３ｂは上表面部を凹上に欠落させて形成されている。
本実施の形態においては敷板は上表面を凹上に欠落させて形勢したものとすることにより、凹部になった分の収容スペースが増えることとなり、収容できる物品の種類、数量をきわめて簡単に増やすことができる。
【産業上の利用可能性】
【００２６】
以上のように、本考案にかかる引き出し箱の仕切り構造は、収納する物品の種類、数量に応じて、極めて簡単に仕切り板の配置を変えることが可能となるので、引き出し箱の仕切り構造などの用途に適用できる。
【符号の説明】
【００２７】
１  引き出し箱本体
２ａ  仕切り板
２ｂ  仕切り板
３ａ  敷板
３ｂ  敷板
４  壁板
５  底板
【図１】
0003194301.tif 000003
【図２】
0003194301.tif 000004
【図３】
0003194301.tif 000005
【図４】
0003194301.tif 000006
【図５】
0003194301.tif 000007
【図６】
0003194301.tif 000008